(57)【要約】【課題】変形可能で足にフィットし易く、しかも保温性が良く、更に装着した状態で移動も可能なブーツ形冷却兼加温具を提供する。【解決手段】それぞれ独立気泡のゴム又は合成樹脂シートからなってブーツ状の内側材１２をブーツ状の外側材１１内に１．５〜３．５ｃｍの隙間を有して配置し、ブーツ状の内側材１２と外側材１１の上部を連結して内部の貯水部を密閉構造とし、外側材１１の一部に開閉可能な水の出入り口１４を設け、貯水部に湯を入れて加温具として使用でき、貯水部に冷水を入れて冷却具として使用できる。【選択図】図１
0003134969.tif 000002
【実用新案登録請求の範囲】
【請求項１】
それぞれ独立気泡のゴム又は合成樹脂シートからなってブーツ状の内側材をブーツ状の外側材内に１．５〜３．５ｃｍの隙間を有して配置し、該ブーツ状の内側材と外側材の上部を連結して内部の貯水部を密閉構造とし、前記外側材の一部に開閉可能な水の出入り口を設け、前記貯水部に湯を入れて加温具として使用でき、前記貯水部に冷水を入れて冷却具として使用できることを特徴とするブーツ形冷却兼加温具。
【請求項２】
請求項１記載のブーツ形冷却兼加温具において、前記内側材と外側材のシート材料は、露出面側に布地が貼着されて厚みが６〜１０ｍｍであることを特徴とするブーツ形冷却兼加温具。
【請求項３】
請求項２記載のブーツ形冷却兼加温具において、前記ゴム又は合成樹脂シートは、クロロプレンゴムシートであることを特徴とするブーツ形冷却兼加温具。
【請求項４】
請求項１記載のブーツ形冷却兼加温具において、前記外側材の引っ張り強度が前記内側材の引っ張り強度より大きくなっていることを特徴とするブーツ形冷却兼加温具。
【考案の詳細な説明】
【技術分野】
【０００１】
本考案は、湯を入れた場合には加温具（所謂「湯たんぽ」）として、冷水を入れた場合には、冷却具として使用できるブーツ形冷却兼加温具に関する。
【背景技術】
【０００２】
従来から特許文献１に示すような湯たんぽ式足温器が提案されており、直方体状の容器に足形を形成し、容器内に湯を入れて足温器として使用している。
【０００３】
【特許文献１】特開平１０−２２９９９６号公報
【考案の開示】
【考案が解決しようとする課題】
【０００４】
しかしながら、特許文献１の湯たんぽ式足温器には以下のような問題がある。
（１）全体が直方体状となっているので、使用に当たっては電気式の足温器と同様、特定の場所において使用することが必要であり、ブーツのように履いて移動することはできない。
（２）特許文献１には材料についての記載はないが、把手が設けられていることから硬質材料（例えば、陶器、硬質プラスチック、又は金属）と解され、サイズや形状の異なる人の足に内部の構造を合わせることは難しい。
（３）陶器や硬質プラスチックで構成されている場合には、熱伝導性が良いので、熱湯を入れると高温過ぎて、適当な布やシート等の熱緩衝材が必要である。
【０００５】
本考案はかかる事情に鑑みてなされたもので、変形可能で足にフィットし易く、しかも保温性が良く、更に装着した状態で移動も可能なブーツ形冷却兼加温具を提供する。
【課題を解決するための手段】
【０００６】
前記目的に沿う第１の考案に係るブーツ形冷却兼加温具は、それぞれ独立気泡のゴム又は合成樹脂シートからなってブーツ状の内側材をブーツ状の外側材内に１．５〜３．５ｃｍの隙間を有して配置し、該ブーツ状の内側材と外側材の上部を連結して内部の貯水部を密閉構造とし、前記外側材の一部に開閉可能な水の出入り口を設け、前記貯水部に湯を入れて加温具として使用でき、前記貯水部に冷水を入れて冷却具として使用できる。
なお、ブーツ状の内側材と外側材の上部の連結は直接連結する場合の他、リング状材を介して連結してもよい。
【０００７】
また、第２の考案に係るブーツ形冷却兼加温具は、第１の考案に係るブーツ形冷却兼加温具において、前記内側材と外側材のシート材料は、露出面側に布地が貼着されて厚みが６〜１０ｍｍである。
【０００８】
第３の考案に係るブーツ形冷却兼加温具は、第２の考案に係るブーツ形冷却兼加温具において、前記ゴム又は合成樹脂シートは、クロロプレンゴムシートである。
【０００９】
そして、第４の考案に係るブーツ形冷却兼加温具は、第１の考案に係るブーツ形冷却兼加温具において、前記外側材の引っ張り強度が前記内側材の引っ張り強度より大きくなっている。
【考案の効果】
【００１０】
請求項１〜４記載のブーツ形冷却兼加温具は、全体がブーツ状になっているので、そのまま足に装着して移動することができる。
そして、ブーツ状の内側材及び外側材が独立気泡のゴム又は合成樹脂シートからなっているので、熱伝導性が悪く、従って、保温性がよい。
そして、温水を入れて使用できるほか、冷水を入れても使用できる。
【００１１】
特に、請求項２記載のブーツ形冷却兼加温具においては、シート材料は、露出面側に布地が貼着されて厚みが６〜１０ｍｍの独立気泡のゴム又は合成樹脂シートであるので、人の肌が直接触れても熱くなく、火傷等を起こすことがない。また、ゴム又は合成樹脂シートの表面に布地が貼着されているので、保温性を確保できる他、ゴム又は合成樹脂シートの素材を保持できる。
【００１２】
請求項３記載のブーツ形冷却兼加温具においては、内側材及び外側材にクロロプレンゴムシートを使用するので、安価に製造できる。
【００１３】
そして、請求項４記載のブーツ形冷却兼加温具は、外側材の引っ張り強度が内側材の引っ張り強度より大きくなっているので、外側から受ける衝撃に対して強く、丈夫で長持ちのブーツ形冷却兼加温具を提供できる。
【考案を実施するための最良の形態】
【００１４】
続いて、添付した図面を参照しつつ、本考案を具体化した実施の形態につき説明し、本考案の理解に供する。
ここに、図１は本考案の一実施の形態に係るブーツ形冷却兼加温具の一部切欠き側面図である。
【００１５】
図１に示すように、本考案の一実施の形態に係るブーツ形冷却兼加温具１０は、ブーツ状の外側材１１と、この外側材１１の内部に隙間を有して配置されているブーツ状の内側材１２と、外側材１１の上端と内側材１２の上端を連結する楕円状のリング材１３と、外側材１１の外側上部に設けられている水の出入り口１４とを有している。
【００１６】
内側材１２と外側材１１は厚みａ、ｃが６〜１０ｍｍ（更に、好ましくは、７〜８ｍｍ）の独立気泡のゴム又は合成樹脂シートの一例であるクロロプレンゴムシートからなっている。このシート材料は例えば、潜水具の生地として使用されいるものを使用してもよい。そして、外側材１１及び内側材１２の露出面には、布地が貼着されて独立気泡のクロロプレンの強度を更に補強している。また、露出面が布地であるので、自由に着色できる。
【００１７】
外側材１１と内側材１２との隙間ｂは、１．５〜３．５ｃｍとなって、この部分に十分な量の湯又は冷水を貯蔵できるようになっている。内側材１２の内側水平部分の長さｄは人の足に合わせて２０〜３０ｃｍとなっているが、全体が柔軟性を有するクロロプレンゴムからなっているので、細かいサイズ分けは必要なく、２種類又は３種類（例えば、２０ｃｍ、２５ｃｍ、３０ｃｍ）と作っておけば、その間の寸法の足にも対応できる。また、ブーツ形冷却兼加温具１０の全体の高さｈも用途に応じて、例えば、２０〜３５ｃｍとなっている。
【００１８】
外側材１１と内側材１２とはそれぞれ強度を有する材質から構成されているが、この実施の形態では外側材１１の引っ張り強度は内側材１２の引っ張り強度の１．２〜１．５倍の強さとなっている。強度の増加は、クロロプレンゴムの材質、独立発泡体のサイズ、布地の強度、厚みを選定して行うことができる。
内側材１２と外側材１１の上端はリング材１３で塞ぐ。これら外側材１１、内側材１２及びリング材１３を構成するシート材料の接合は接合部を突き合わせて接着剤で接合し、更にかけ縫いを行って補強するのがよい。
【００１９】
水の出入り口１４は開閉可能で、外側材１１に密着状態で固定されている口金（金属製であってもよいが、プラスチック製があるのが好ましい）と、この口金を完全に閉塞する蓋（栓）とを有する周知の構造となっている。
【００２０】
このブーツ形冷却兼加温具１０を使用する場合には、水の出入り口１４の蓋を開けて、外側材１１と内側材１２の隙間によって構成される密閉構造の貯水部に湯（又は冷水）を入れる。そして、このブーツ形冷却兼加温具１０の内側材１２の内部に足を入れて加温具（又は冷却具）として使用する。
【００２１】
前記実施の形態においては、外側材１１と内側材１２の間の底部は中空であったが、この部分に支持部材を配置し、内側材１２の上に載ってもこの支持部材で体重を支持できるようにすることもできる。この場合の支持部材は、硬質合成樹脂からなって、内部には十分な量の湯を蓄えることができるように、大、小の開口部、溝、空洞を有するのがよい。
【図面の簡単な説明】
【００２２】
【図１】本考案の一実施の形態に係るブーツ形冷却兼加温具の一部切欠き側面図である。
【符号の説明】
【００２３】
１０：ブーツ形冷却兼加温具、１１：外側材、１２：内側材、１３：リング材、１４：水の出入り口
【図１】
0003134969.tif 000003